(57)【特許請求の範囲】
【請求項１】
魚釣用具の外層部品の表面に所定の文字やデザイン等を表示させた魚釣用具において、
前記外層部品には、１回目のアルマイト処理によって形成した一次アルマイト層にレーザー光を照射することによって、所定の文字やデザイン等の形に沿ったマーキング処理を施した後、このマーキング処理面上に２回目のアルマイト処理を施して二次アルマイト層を形成することによって、所定の文字やデザイン等が表示されていることを特徴とする魚釣用具。
【発明の詳細な説明】
【０００１】
【発明の属する技術分野】
本発明は、例えばリール本体やスプール或いは釣竿等の魚釣用具及び竿掛けやルアー等の魚釣用小物の外層部品に所望の文字やデザイン等を表示させた魚釣用具に関する。
【０００２】
【従来の技術】
従来、所望の文字やデザイン等をリール本体やスプール或いは釣竿等の魚釣用具及び竿掛けやルアー等の魚釣用小物の外層部品に表示させる方法としては、コストが安く、仕上がりが美しく、量産性にも優れた印刷処理法が主流となっている。
【０００３】
しかし、印刷処理法によって外層部品に印刷された文字やデザイン等は、その耐久性に難があり、長期に亘って魚釣用具を使用した場合、例えば釣り人の手で擦れたり、釣り場の移動時や実釣時に他の物と接触することによって、次第に削れてしまうため、非常に見難い外観となってしまう。
【０００４】
そこで、このような事態を解消するために、ダブルアルマイト処理法（即ち、陽極酸化処理を２回繰り返す方法）によって文字やデザイン等を外層部品に表示させる技術が提案されている。ダブルアルマイト処理法は、１回目のアルマイト処理によって形成した一次アルマイト層にマスキング印刷を施してエッチングを行った後、このエッチング処理面上に２回目のアルマイト処理を施して二次アルマイト層を形成し、最後にマスキングを剥離して全工程が終了する。
【０００５】
【発明が解決しようとする課題】
しかし、従来のダブルアルマイト処理法において、マスキング印刷は、その剥離処理に手間や時間がかかるだけでなく、細かい文字やデザイン等を再現性良く表示させることができない。特に、０．１ｍｍ以下の文字やデザイン（例えば、線や写真のような絵など）を外層部品に表示させる場合、このような細かい文字やデザイン等を忠実に外層部品に再現させることができない。
【０００６】
また、従来のダブルアルマイト処理法において、エッチング処理は、マスキング印刷部分への浸食を伴うため、細かい文字やデザイン等の外観形状（例えば、シャープな線や図形など）を忠実に再現することができない。
【０００７】
更に、従来のアルマイト処理法には、上述したようなマスキング印刷及びマスキング剥離などの処理が含まれているため、ダブルアルマイト処理に要する時間が長くなると共に、その処理コストが上昇してしまうため、魚釣用具の製造コストが大幅に上昇してしまう。
【０００８】
本発明は、このような問題を解決するために成されており、その目的は、簡単且つ短時間に細かい文字やデザイン等を再現性良く且つ忠実に表示させることが可能な低コストな魚釣用具を提供することにある。
【０００９】
【課題を解決するための手段】
このような目的を達成するために、本発明は、魚釣用具の外層部品の表面に所定の文字やデザイン等を表示させた魚釣用具において、前記外層部品には、１回目のアルマイト処理によって形成した一次アルマイト層にレーザー光を照射することによって、所定の文字やデザイン等の形に沿ったマーキング処理を施した後、このマーキング処理面上に２回目のアルマイト処理を施して二次アルマイト層を形成することによって、所定の文字やデザイン等が表示されている。
【００１０】
【発明の実施の形態】
本発明は、例えばリール本体やスプール或いは釣竿等の魚釣用具及び竿掛けやルアー等の魚釣用小物の外層部品に、簡単且つ短時間に細かい文字やデザイン等を再現性良く且つ忠実に表示させる技術を提供する。このような技術を実現するために、本発明には、従来のダブルアルマイト処理法を改良した新たなダブルアルマイト処理法が適用されている。
【００１１】
この新たなダブルアルマイト処理法を適用する外層部品として、本発明の一実施の形態では、その一例として、図１に示すように、魚釣用リールのスプール２を用いており、このスプール２にダブルアルマイト処理を施して、スプール表面に細かい文字やデザイン等（特に、０．１ｍｍ以下の文字や、写真のような細かいデザインなど）を表示させる。
【００１２】
以下、スプール表面に図１に示すような細かい文字やデザイン等を表示させるダブルアルマイト処理法について、図２を参照して説明する。
なお、本実施の形態のダブルアルマイト処理法に適用可能なスプール元部材としては、例えばアルミニウム合金、マグネシウム合金、純チタン、チタン合金、亜鉛合金、鉄合金などの金属材料（導体）を用いることができるが、以下の説明では、その一例として、アルミニウム合金をスプール元部材に用いる。
【００１３】
まず、スプール元部材４の表面全体に１回目のアルマイト処理を施して、所定の厚さの一次アルマイト層６を形成する（図２（ａ）参照）。
次に、この一次アルマイト層６にレーザー光を照射することによって、図１に示すような細かい文字やデザイン等の形に沿ったマーキング処理（彫刻処理）を施して、このマーキング処理を施した部分に、スプール元部材４の表面４ａ（以下、マーキング処理面という）を露出させる（図２（ｂ）参照）。
【００１４】
そして、マーキング処理面４ａ及び一次アルマイト層６が露出したスプール表面全体に亘って、２回目のアルマイト処理を施して、所定の厚さの二次アルマイト層８を形成する（図２（ｃ）参照）。
【００１５】
この場合、一次アルマイト層６が露出した部分は不導体となっているため、スプール表面全体に２回目のアルマイト処理を施しても、導体のマーキング処理面４ａ上だけに二次アルマイト層８が形成される。
【００１６】
このようなダブルアルマイト処理法によれば、従来のダブルアルマイト処理法で行われていたようなマスキング印刷処理、エッチング処理、マスキング剥離処理等の各種処理工程を、レーザー光を用いたマーキング処理の一工程で終了させることができるため、ダブルアルマイト処理に要する時間を大幅に短縮することができる。この結果、処理コストを低減することができるため、魚釣用具の製造コストを大幅に削減することが可能となる。
【００１７】
また、レーザー光を用いたマーキング処理では、レーザー光の光束径を細く絞り込むことができるため、特に、０．１ｍｍ以下の細かい文字やデザイン等を忠実に再現することができる。
【００１８】
更に、マーキング処理では、その輪郭がシャープで且つストレートなマーキング処理面４ａを形成することができるため、マーキング処理を施した部分以外の領域に、マーキング処理面４ａが浸食することは無い。この結果、細かい文字やデザイン等の外観形状を忠実に再現することができる。
【００１９】
更に又、一次アルマイト処理及び二次アルマイト処理に際して、一次及び二次アルマイト層６，８には、夫々、色調の異なる任意の染料を注入させることができるため、外層部品の装飾の自由度も向上する。
【００２０】
また、印刷の外観以上の仕上がりでありながら、耐久性に優れた文字やデザイン等を表示させることができるため、例えば釣り人の手で擦れたり、釣り場の移動時や実釣時に他の物と接触することによって、文字やデザイン等が次第に削れてしまうことが無くなり、長期に亘って文字やデザイン等の表示を残すことが可能となる。
【００２１】
なお、本発明は、上述した実施の形態に限定されることは無く、以下のように種々変更することが可能である。
例えば図３に示すようなダブルアルマイト処理法を用いても良い。
【００２２】
まず、スプール元部材４の表面全体に１回目のアルマイト処理を施して、所定の厚さの一次アルマイト層６を形成する（図３（ａ）参照）。
次に、この一次アルマイト層６にレーザー光を照射することによって、図１に示すような細かい文字やデザイン等の形に沿ったマーキング処理（彫刻処理）を施して、このマーキング処理を施した部分に、スプール元部材４の表面４ａ（以下、マーキング処理面という）を露出させる（図３（ｂ）参照）。
【００２３】
この状態において、マーキング処理面４ａが、凹凸溝が複雑に入り込んだ荒れた表面となっている場合、このマーキング処理面４ａに研磨処理（例えば、バフ処理）を施す（図３（ｃ）参照）。
【００２４】
一次アルマイト層６は、そのビッカース硬度がＨｖ２００以上であり、アルミニウム合金製のマーキング処理面４ａは、そのビッカース硬度がＨｖ８０となっているため、バフ処理では、比較的柔らかいマーキング処理面４ａのみが研磨され、非常に硬い一次アルマイト層６には、バフ処理が施されない。この結果、バフ処理が施されたマーキング処理面４ａは、光沢の有る平滑な面（以下、この面を光沢平滑面４ｂという）になる。
【００２５】
この後、バフ処理に際して発生した削りカス（バフカス）１０を除去して、光沢平滑面４ｂを清浄する（図３（ｄ）参照）。
そして、光沢平滑面４ｂ及び一次アルマイト層６が露出したスプール表面全体に亘って、２回目のアルマイト処理を施して、所定の厚さの二次アルマイト層８を形成する（図３（ｅ）参照）。
【００２６】
この場合、一次アルマイト層６が露出した部分は不導体となっているため、スプール表面全体に２回目のアルマイト処理を施しても、導体の光沢平滑面４ｂ上だけに二次アルマイト層８が形成される。
【００２７】
このようなダブルアルマイト処理法によれば、マーキング処理後にバフ処理を施すことによって、マーキング処理面４ａを光沢の有る平滑な面４ｂに仕上げることができるため、二次アルマイト層８の表面を光沢の有る非常に綺麗な外観とすることができる。
【００２８】
なお、その他の効果は、上述した実施の形態と同様であるため、その説明は省略する。
また、上述した実施の形態及びその変形例では、その一例として、スプール２にダブルアルマイト処理を施して、スプール表面に所定の文字やデザイン等を表示させる技術を開示しているが、これに限定されることは無く、例えばリール本体やスプール或いは釣竿等の魚釣用具及び竿掛けやルアー等の魚釣用小物の外層部品に、複数回（例えば、３回以上）のアルマイト処理を施しても良い。このような複数回のアルマイト処理を施すことによって、変化に富んだ表面装飾効果を実現させることが可能となる。
【００２９】
また、上述した実施の形態及びその変形例のダブルアルマイト処理に際し、２次アルマイト処理時の電極部分を残すために、１次アルマイト処理前に外層部品に予め２次アルマイト処理用のマスキングを施しておくことが好ましい。例えば図１のスプール２を外層部品として用いた場合には、ダブルアルマイト処理の邪魔にならない箇所（例えば、スプール２の裏面側）に２次アルマイト処理用のマスキングを施し、２次アルマイト処理時にマスキング剥離処理を施せば良い。
【００３０】
【発明の効果】
本発明によれば、簡単且つ短時間に細かい文字やデザイン等を再現性良く且つ忠実に表示させることが可能な低コストな魚釣用具を提供することができる。
【図面の簡単な説明】
【図１】本発明の一実施の形態に適用した魚釣用リールのスプールに所定の文字やデザイン等が表示された状態を示す図。
【図２】（ａ）〜（ｃ）は、本発明の一実施の形態に適用したダブルアルマイト処理法の処理プロセスを示す図。
【図３】（ａ）〜（ｅ）は、本発明の変形例に適用したダブルアルマイト処理法の処理プロセスを示す図。
【符号の説明】
４ａ  マーキング処理面
６  一次アルマイト層
８  二次アルマイト層
【図１】
0003568782.tif 000002
【図２】
0003568782.tif 000003
【図３】
0003568782.tif 000004